(57)【特許請求の範囲】
【請求項１】
各通信装置に割り当てられる無線通信期間と、所定の時間間隔または所定数の無線通信期間ごとに規定された専用受信通信期間とが、時分割で規定されている１チャンネルの通信フレームを用いて無線通信を行う通信装置であって、
当該通信装置に割り当てられる無線通信期間を用いて無線による送受信を行う通信回路と、
前記通信回路が前記割り当てられた無線通信期間内に受信した管理データで規定される受信専用通信期間を特定し、当該通信装置が所定の条件を満たさないことを判断した場合に当該特定された受信専用通信期間では前記通信回路が受信あるいは受信待ちを行い、当該通信装置が前記所定の条件を満たしたことを判断した場合には前記通信回路が前記特定された受信専用通信期間であっても送信を行うように制御する制御回路と
を有する通信装置。
【請求項２】
前記制御回路は、前記特定された受信専用通信期間に前記通信回路が所定の通知を他の第１通信装置から受信した場合に、当該通知を他の第２通信装置に送信するように前記通信回路を制御する、
請求項１に記載の通信装置。
【請求項３】
前記通信回路は、スペクトラム拡散による無線通信を行う、
請求項１に記載の通信装置。
【請求項４】
前記通信装置が前記所定の条件を満たしたと判断した場合に、前記制御回路は、前記通信回路が所定の通知を少なくとも前記所定時間間隔分または前記所定数の無線通信期間分、継続して送信するように制御する、
請求項１または２に記載の通信装置。
【請求項５】
電源回路をさらに有し、
前記制御回路は、
前記通信装置が前記所定の条件を満たさないと判断した場合に、前記通信回路への前記電源回路による電源供給を停止し、
前記通信装置が前記所定の条件を満たしたと判断した場合に、前記通信回路への前記電源回路による電源供給を起動させ、前記所定の通知を前記通信回路が送信するように制御する、
請求項１に記載の通信装置。
【請求項６】
複数の通信装置を有し、複数の送信装置の各通信装置に割り当てられる無線通信期間と、所定の時間間隔または所定数の無線通信期間ごとに規定された専用受信通信期間とが、時分割で規定されている１チャンネルの通信フレームを用いて無線による送受信を行う通信システムであって、
各通信装置は、
当該通信装置に割り当てられる無線通信期間を用いて無線による送受信を行い、
当該通信装置が前記割り当てられた無線通信期間内に受信した管理データで規定される受信専用通信期間を特定し、
当該通信装置が所定の条件を満たさないと判断した場合に当該特定された受信専用通信期間では受信あるいは受信待ちを行い、
当該通信装置が前記所定の条件を満たしたと判断した場合には前記特定された受信専用通信期間であっても送信を行う、
通信システム。
【請求項７】
各通信装置に割り当てられる無線通信期間と、所定の時間間隔または所定数の無線通信期間ごとに規定された専用受信通信期間とが、時分割で規定されている１チャンネルの通信フレームを用いて無線通信を行う通信方法であって、
当該通信装置に割り当てられる無線通信期間を用いて当該通信装置が無線による送受信を行い、
当該通信装置は前記割り当てられた無線通信期間内に受信した管理データで規定される受信専用通信期間を特定し、当該通信装置が所定の条件を満たさないと判断した場合に当該特定された受信専用通信期間では受信あるいは受信待ちを行い、当該通信装置が前記所定の条件を満たしたことを判断した場合には前記特定された受信専用通信期間であっても送信を行うように制御する、
通信方法。
【請求項８】
当該通信装置が前記特定された受信専用通信期間に所定の通知を他の第１通信装置から受信した場合に、当該通信装置は当該通知を他の第２通信装置に送信するように制御する、
請求項７に記載の通信方法。
【請求項９】
当該通信装置が前記所定の条件を満たしたと判断した場合には、当該通信装置は前記所定の通知を少なくとも前記所定時間間隔分または前記所定数の無線通信期間分、当該通信装置は継続して送信するように制御する、
請求項７に記載の通信方法。
【請求項１０】
当該通信装置が前記所定の条件を満たさないと判断した場合に、当該通信装置は前記通信装置内の通信回路への電源回路による電源供給を停止し、
当該通信装置が前記所定の条件を満たしたと判断した場合には、当該通信装置が、前記通信装置内の通信回路への前記電源回路による電源供給を起動させ、前記所定の通知を送信するように制御する、
請求項７に記載の通信方法。
【請求項１１】
前記通信は、スペクトラム拡散による無線通信を行う、
請求項７に記載の通信方法。
【発明の詳細な説明】
【０００１】
【発明の属する技術分野】
本発明は、時分割で各通信装置に無線通信期間が割り当てられる１チャンネル（１周波数帯域）で、時分割方式で無線による送受信を行う通信装置、そのシステムおよびその方法に関する。
【０００２】
【従来の技術】
例えば、特開２００１−１０３５８１号公報や特開２００１−２４５３６４号公報には、家庭内の様々な機器に情報送信機能を設け、当該機器の状態や当該機器が検出した状態を情報として無線で他の機器に送信するシステムが開示されている。
このような無線通信の手段として、例えば、パルス幅が１ｎｓ以下のパルスを用いた通信であって、数ＧＨｚにわたる超広帯域を使用するＵＷＢ(Ultra Wide Band)通信が知られている。
このようなＵＷＢ通信は、送信時の消費電力が小さく、家庭内などの様々な機器に容易に組み込むことができるため、家庭内ネットワークを構築する上で有用である。
上述したＵＷＢ通信では、周波数多重化によって複数のチャネルを設定することが事実上できず、通常、単数のチャネルをフレーム単位で各通信装置に割り当てて送受信を行っている。
【０００３】
【発明が解決しようとする課題】
しかしながら、例えば、通信装置が緊急情報を送信する場合に、当該通信装置にフレームが割り当てられるまでに時間を要し、緊急情報を即座に送信できない場合があるという問題がある。
【０００４】
本発明はかかる事情に鑑みてなされたものであり、その目的は、時分割で各通信装置に無線通信期間が割り当てられる１チャンネル（１周波数帯域）、時分割方式を用いて無線による送受信を行う場合に、所定の条件を満たした場合に、所定の情報を確実に送受信できる通信装置、そのシステムおよびその方法を提供することを目的とする。
【０００５】
【課題を解決するための手段】
上記の目的を達成するため、本発明によれば、各通信装置に割り当てられる無線通信期間と、所定の時間間隔または所定数の無線通信期間ごとに規定された専用受信通信期間とが、時分割で規定されている１チャンネルの通信フレームを用いて無線通信を行う通信装置であって、
当該通信装置に割り当てられる無線通信期間を用いて無線による送受信を行う通信回路と、
前記通信回路が前記割り当てられた無線通信期間内に受信した管理データで規定される受信専用通信期間を特定し、当該通信装置が所定の条件を満たさないことを判断した場合に当該特定された受信専用通信期間では前記通信回路が受信あるいは受信待ちを行い、当該通信装置が前記所定の条件を満たしたことを判断した場合には前記通信回路が前記特定された受信専用通信期間であっても送信を行うように制御する制御回路と
を有する通信装置が提供される。
【０００６】
上記通信装置の作用は以下のようになる。
通信回路が、時分割で各通信装置に無線通信期間が割り当てられる通信フレームを用いて無線による送受信を行う。
そして、制御回路が、前記通信回路が受信した無線通信期間内の管理データで規定される受信専用通信期間を特定する。
そして、制御回路が、当該受信専用通信期間では、当該通信装置が所定の条件を満たさないと判断した場合に前記通信回路が受信あるいは受信待ちを行うように制御する。また、制御回路が、当該受信専用通信期間では、当該通信装置が前記所定の条件を満たしたと判断した場合には受信専用通信期間であっても前記通信回路が送信を行うように制御する。
【０００７】
好ましくは、前記制御回路は、前記特定された受信専用通信期間に前記通信回路が所定の通知を他の第１通信装置から受信した場合に、当該通知を他の第２通信装置に送信するように前記通信回路を制御する。
【０００８】
また好ましくは、前記通信回路はスペクトラム拡散による無線通信を行う。
【０００９】
また好ましくは、当該通信装置が前記所定の条件を満たしたと判断された場合に、前記制御回路は、前記通信回路が所定の通知を少なくとも前記所定時間間隔分または前記所定数の無線通信期間分、継続して送信するように制御する。
【００１０】
好ましくは、電源回路をさらに有し、
前記制御回路は、前記通信装置が前記所定の条件を満たさないと判断した場合に、前記通信回路への前記電源回路による電源供給を停止し、前記通信装置が前記所定の条件を満たしたと判断した場合には、前記通信回路への前記電源回路による電源供給を起動させ、前記所定の通知を前記通信回路が送信するように制御する。
【００１１】
また本発明によれば、複数の通信装置を有し、複数の送信装置の各通信装置に割り当てられる無線通信期間と、所定の時間間隔または所定数の無線通信期間ごとに規定された専用受信通信期間とが、時分割で規定されている１チャンネルの通信フレームを用いて無線による送受信を行う通信システムであって、
各通信装置は、
当該通信装置に割り当てられる無線通信期間を用いて無線による送受信を行い、
当該通信装置が前記割り当てられた無線通信期間内に受信した管理データで規定される受信専用通信期間を特定し、
当該通信装置が所定の条件を満たさないと判断した場合に当該特定された受信専用通信期間では受信あるいは受信待ちを行い、
当該通信装置が前記所定の条件を満たしたと判断した場合には前記特定された受信専用通信期間であっても送信を行う、通信システムが提供される。
【００１２】
さらに本発明によれば、各通信装置に割り当てられる無線通信期間と、所定の時間間隔または所定数の無線通信期間ごとに規定された専用受信通信期間とが、時分割で規定されている１チャンネルの通信フレームを用いて無線通信を行う通信方法であって、
当該通信装置に割り当てられる無線通信期間を用いて当該通信装置が無線による送受信を行い、
当該通信装置は前記割り当てられた無線通信期間内に受信した管理データで規定される受信専用通信期間を特定し、当該通信装置が所定の条件を満たさないと判断した場合に当該特定された受信専用通信期間では受信あるいは受信待ちを行い、当該通信装置が前記所定の条件を満たしたと判断した場合には前記特定された受信専用通信期間であっても送信を行うように制御する、通信方法が提供される。
【００１３】
好ましくは、当該通信装置が前記特定された受信専用通信期間に所定の通知を他の第１通信装置から受信した場合に、当該通信装置は当該通知を他の第２通信装置に送信するように制御する。
【００１４】
好ましくは、当該通信装置が前記所定の条件を満たしたと判断した場合に、前記所定の通知を少なくとも前記所定時間間隔分または前記所定数の無線通信期間分、当該通信装置は継続して送信するように制御する。
【００１５】
また好ましくは、前記通信装置が前記所定の条件を満たさないと判断した場合に、前記通信装置内の通信回路への電源回路による電源供給を停止し、
前記通信装置が前記所定の条件を満たしたと判断した場合には前記通信装置内の通信回路への前記電源回路による電源供給を起動させ、前記所定の通知を送信するように制御する。
【００１６】
好ましくは、前記通信はスペクトラム拡散による無線通信を行う。
【００１７】
【発明の実施の形態】
以下、本発明の実施形態に係わる通信システムについて説明する。
図１は、本実施形態の通信システム１の全体構成図である。
図１に示すように、通信システム１は、例えば、ＳＴＢ(Set Top Box) １１、テレビ受像機１２、電話１３、プリンタ１４、ＰＣ(Personal Computer) １５、センサ１６、冷蔵庫１７および掛け時計１８を有し、これらが家庭内に配置されている。
【００１８】
ＳＴＢ１１、テレビ受像機１２、電話１３、プリンタ１４およびＰＣ１５は、ＵＷＢ送受信機能を有し、本発明の第１の発明の通信装置に対応している。当該ＵＷＢ送受信は、単数のチャンネルを用いて行われる。
ＵＷＢ送受信は、無線通信の一つであり、スペクトラム拡散により、１ＧＨｚ以上（例えば２〜３ＧＨｚ）の広周波数帯域に信号を拡散して送受信が行われる。このとき、送受信される信号は、ノイズ程度の強さしかないため、同じ周波数帯を使用する無線機器と混信することがなく、消費電力も小さい。
【００１９】
センサ１６、冷蔵庫１７および掛け時計１８は、ＵＷＢ送信機能を有し、本発明の第２の発明の通信装置に対応している。
ＳＴＢ１１は、ＵＷＢ通信の基地局として機能し、テレビ受像機１２、電話１３、プリンタ１４およびＰＣ１５などの通信装置に制御信号を送信し、当該通信装置に通信フレームにより規定された無線通信期間を割り当て（無線区間のソース割り当て）、当該割り当てられた通信フレームを用いて当該通信装置がＵＷＢ通信を行うように制御する。通信フレーム周期は例えば２ｍｓである。
本実施形態では、図２に示すように、通信フレームには、例えばＳＴＢ１１により送信権限が割り当てられる通常通信フレーム（本発明の無線通信期間）の他に、所定の時間間隔で受信専用フレーム（本発明の受信専用通信期間）が規定されている。各通信装置は、当該受信専用フレームでは、所定の条件を満たさない場合、例えば緊急事態が発生していない場合に受信あるいは受信待ちを行い、所定の条件を満たす場合、例えば、緊急事態が発生した場合に予め決められた緊急通知を行う。すなわち、各通信装置は、受信専用フレームでは、緊急通知の送信のみ許可される。受信専用フレームは、例えば、１００通信フレームに１回存在する。
上記所定の条件としては、緊急事態が発生したこと以外に、当該通信装置が予め設定された状態を検知したこと、その時点で当該通信装置に通常通信期間（通常通信フレーム（本発明の無線通信期間））が割り当てられていないこと、あるいは、当該通信装置に当該受信専用フレームでのデータ送信を許可する設定がなされていることなどがある。
各通信装置は、各通信フレーム内の制御スロット内の管理データ（本発明の管理データ）を基に（で規定される）、受信専用フレームのタイミングを特定する。
【００２０】
また、センサ１６、冷蔵庫１７および掛け時計１８は、通常状態では、ＵＷＢ送信機能をオフにしており、内部状態に緊急事態が生じた場合に、ＵＷＢ送信機能をオンにして、当該緊急事態を通知する緊急通知を、例えば、１００通信フレームに相当する期間継続して送信する。
例えば、図３に示すように、センサ１６は、緊急通知をＵＷＢ送信し、テレビ受像機１２が受信専用フレームで当該緊急通知を受信する。そして、テレビ受像機１２がＰＣ１５に当該受信した緊急通知をＵＷＢ送信し、ＰＣ１５が緊急通知を画面に表示する。
【００２１】
以下、図１に示す構成要素について説明する。
〔ＳＴＢ１１〕
図４は、図１に示すＳＴＢ１１の機能ブロック図である。
図４に示すように、ＳＴＢ１１は、例えば、アンテナ３０、ＵＷＢ送受信部３１、ＳＴＢ機能部３２、液晶ディスプレイ３３およびマイクロコンピュータ３４を有する。
ここで、ＵＷＢ送受信部３１が第１の発明の通信回路に対応し、マイクロコンピュータ３４が第１の発明の制御回路に対応している。
【００２２】
ＵＷＢ送受信部３１は、アンテナ３０を介して、他の通信装置とＵＷＢ送受信を行う。
ＳＴＢ機能部３２は、通常のＳＴＢの機能を実現する。
液晶ディスプレイ３３は、マイクロコンピュータ３４からの表示信号に応じた画面を表示する。
マイクロコンピュータ３４は、他の通信装置にＵＷＢ送受信部３１を介して制御信号を送信し、図２に示す通信フレームを用いたＵＷＢ通信を管理する。
また、マイクロコンピュータ３４は、通信フレーム内の制御スロット内の管理データで規定された受信専用フレームでは、緊急事態が発生していない場合（本発明の所定の条件を満たさない場合）にＵＷＢ送受信部３１が受信あるいは受信待ちを行うように制御し、緊急事態が発生した場合（本発明の所定の条件を満たした場合）に、当該緊急事態を通知する緊急通知をＵＷＢ送受信部３１を介してＵＷＢ送信する。
また、マイクロコンピュータ３４は、ＵＷＢ送受信部３１が他の通信装置から緊急通知を受信した場合に、ＵＷＢ送受信部３１を介して当該緊急通知を他の通信装置に送信する。
【００２３】
〔テレビ受像機１２〕
図５は、図１に示すテレビ受像機１２の機能ブロック図である。
図５に示すように、テレビ受像機１２は、例えば、アンテナ４０、ＵＷＢ送受信部４１、テレビ機能部４２およびマイクロコンピュータ４４を有する。
ここで、ＵＷＢ送受信部４１が第１の発明の通信回路に対応し、マイクロコンピュータ４４が第１の発明の制御回路に対応している。
【００２４】
ＵＷＢ送受信部４１は、アンテナ４０を介して、他の通信装置とＵＷＢ送受信を行う。
テレビ機能部４２は、通常のテレビ受像機能を実現する。
マイクロコンピュータ４４は、ＵＷＢ送受信部４１がＵＷＢ受信した通信フレーム内の制御スロット内の管理データに基づいて、受信専用フレームを特定し、当該受信専用通信期間では、緊急事態が発生していない場合（本発明の所定の条件を満たさない場合）にＵＷＢ送受信部４１が受信あるいは受信待ちを行うように制御し、緊急事態が発生した場合（本発明の所定の条件を満たした場合）に、当該緊急事態を通知する緊急通知をテレビ機能部４２のＩＤと共にＵＷＢ送受信部４１を介してＵＷＢ送信する。
また、マイクロコンピュータ４４は、ＵＷＢ送受信部４１が他の通信装置から緊急通知を受信した場合に、ＵＷＢ送受信部４１を介して当該緊急通知を他の通信装置に送信する。
【００２５】
プリンタ１４およびＰＣ１５は、テレビ機能部４２を除いて、図６に示すテレビ受像機１２と同様の機能を有している。
【００２６】
〔センサ１６〕
図６は、図１に示すセンサ１６の機能ブロック図である。
図６に示すように、センサ１６は、例えば、アンテナ５０、ＵＷＢ送信部５１、センサ機能部５２、マイクロコンピュータ５４、バッテリ５５および電源用ＩＣ５６を有する。
ここで、ＵＷＢ送受信部５１が第２の発明の通信回路に対応し、マイクロコンピュータ５４が第２の発明の制御回路に対応している。
【００２７】
ＵＷＢ送信部５１は、アンテナ５０を介して、他の通信装置にＵＷＢ送信を行う。
センサ機能部５２は、例えば、侵入者検出センサなどであり、侵入者を検出した場合にその旨を示す検出信号をマイクロコンピュータ５４に出力する。
バッテリ５５は、ＵＷＢ送信部５１を駆動するための電力を供給する。
電源用ＩＣ５６は、マイクロコンピュータ５４からの制御信号に基づいて、バッテリ５５からＵＷＢ送信部５１への電力供給を制御する。
マイクロコンピュータ５４は、センサ機能部５２から侵入者を検出した旨を示す検出信号を入力すると、電源用ＩＣ５６にバッテリ５５から電源用ＩＣ５６への電源供給を起動させる。
そして、マイクロコンピュータ５４は、緊急事態を通知する緊急通知をセンサ１６のＩＤと共に、例えば、受信専用フレームが割り当てられる時間間隔である１００通信フレームに相当する期間（１００×２ｍｓ）継続してランダムにＵＷＢ送信部５１に複数回送信させる。
【００２８】
以下、図１に示す通信システム１の動作例を説明する。
〔第１の動作例〕
当該動作例では、図１に示すテレビ受像機１２が緊急事態を検出した場合を説明する。
以下の動作において、テレビ受像機１２およびＰＣ１５は、受信した図２に示す通常フレーム内の制御スロット内の管理データを基に、必要に応じて受信専用フレームのタイミングを特定する。
図７は、当該動作例を説明するためのフローチャートである。
ステップＳＴ１：
図５に示すテレビ受像機１２のマイクロコンピュータ４４が、例えば、テレビ機能部４２の異常など何らかの緊急事態を検出した場合に、ステップＳＴ２の処理に進む。
ステップＳＴ２：
テレビ受像機１２のマイクロコンピュータ４４が、ＵＷＢ送受信部４１が受信した通信フレーム内の制御スロット内の管理データを基に（で規定される）、次の受信専用フレームを特定する。
ステップＳＴ３：
マイクロコンピュータ４４が、例えば、異常の内容を示す緊急通知を生成し、ＵＷＢ送受信部４１を介して当該緊急通知をステップＳＴ２で特定した受信専用フレームを用いて送信する。
当該受信専用フレームに対応する期間では、ＳＴＢ１１、電話１３、プリンタ１４およびＰＣ１５は受信あるいは受信待ちを行う。
当該緊急通知は、例えば、図４に示すＳＴＢ１１のＵＷＢ送受信部３１で受信される。
【００２９】
ステップＳＴ４：
図４に示すＳＴＢ１１のマイクロコンピュータ３４は、ステップＳＴ３でＵＷＢ送受信部３１が受信した緊急通知を、ＵＷＢ送受信部３１からＰＣ１５に転送する。
マイクロコンピュータ３４による当該緊急通知の転送は、図２に示す通常フレームを用いて行ってもよいし、受信専用フレームを用いて行ってもよい。
【００３０】
ステップＳＴ５：
ＰＣ１５は、ステップＳＴ４で受信した緊急通知が例えばテレビ受像機１２に故障が発生したことを示す場合に、故障修理サービスのＷｅｂページに自動的にアクセスし、当該Ｗｅｂページに応じた画面を表示する。
ステップＳＴ６：
ＰＣ１５は、緊急通知を受信したことを示す緊急通知受信確認をＳＴＢ１１に送信する。
当該緊急通知受信確認は、図４に示すＳＴＢ１１のＵＷＢ送受信部３１で受信される。
ステップＳＴ７：
図４に示すＳＴＢ１１のマイクロコンピュータ３４は、ステップＳＴ６で受信した緊急通知受信確認をＵＷＢ送受信部３１からテレビ受像機１２に転送する。
【００３１】
〔第２の動作例〕
当該動作例では、センサ１６が緊急事態を検出した場合を説明する。
図８は、当該動作例を説明するためのフローチャートである。
初期状態として、図６に示す電源用ＩＣ５６を介したバッテリ５５からＵＷＢ送信部５１の電力供給は停止しており、ＵＷＢ送信部５１は不活性状態になっている。
【００３２】
ステップＳＴ１１：
図６に示すセンサ１６のセンサ機能部５２が、例えば侵入者を検出すると、その旨を示す検出信号がマイクロコンピュータ５４に出力される。
マイクロコンピュータ５４は、当該検出信号を基に、緊急事態が検出されたと判断し、ステップＳＴ１２の処理に進む。
ステップＳＴ１２：
マイクロコンピュータ５４が、電源用ＩＣ５６の起動信号を出力する。
これにより、電源用ＩＣ５６が、バッテリ５５からＵＷＢ送信部５１に電力供給を行い、ＵＷＢ送信部５１が活性化状態になる。
ステップＳＴ１３：
マイクロコンピュータ５４が、緊急事態を通知する緊急通知を、例えば、１００通信フレームに相当する期間継続してＵＷＢ送信部５１に送信させる。
当該緊急通知が、例えば、受信専用フレームにおいて、図５に示すテレビ受像機１２のＵＷＢ送受信部４１で受信される。
このとき、１０００通信フレームの間には、必ず１回の受信専用フレームが存在するため、当該緊急通知は確実に送受信される。
マイクロコンピュータ５４は、当該緊急通知の送信後に、電源用ＩＣ５６を制御して、バッテリ５５からＵＷＢ送信部５１への電源供給を停止させ、ＵＷＢ送信部５１を不活性状態にする。
【００３３】
ステップＳＴ１４：
図５に示すテレビ受像機１２のマイクロコンピュータ４４が、ステップＳＴ１３で受信した緊急通知の転送要求をＳＴＢ１１に送信する。
当該緊急通知の送信は、例えば、図２に示す通常通信フレームを用いて行われる。
ステップＳＴ１５：
図４に示すＳＴＢ１１のマイクロコンピュータ３４が、ステップＳＴ１４でテレビ受像機１２から受信した転送要求に対する転送許可通知をＵＷＢ送受信部３１からテレビ受像機１２に送信する。
当該転送許可通知の送信は、例えば、図２に示す通常通信フレームを用いて行われる。
【００３４】
ステップＳＴ１６：
図５に示すテレビ受像機１２のマイクロコンピュータ４４が、ステップＳＴ１４でセンサ１６から受信した緊急通知を、ＵＷＢ送信部４１からＳＴＢ１１に転送する。
当該転送許可通知の転送は、例えば、図２に示す通常通信フレームを用いて行われる。
ステップＳＴ１７：
図４に示すＳＴＢ１１のマイクロコンピュータ３４が、ステップＳＴ１６でテレビ受像機１２からから受信した緊急通知を、ＵＷＢ送信部３１からＰＣ１５に転送する。
当該転送許可通知の転送は、例えば、図２に示す通常通信フレームを用いて行われる。
【００３５】
ステップＳＴ１８：
ＰＣ１５は、ステップＳＴ１７で受信した緊急通知が例えば侵入者検出を示す場合に、警備会社のサーバ装置にアクセスを行い、その旨を通知する処理を行うと共に、警報出力などを行う。
ステップＳＴ１９：
ＰＣ１５は、緊急通知を受信したことを示す緊急通知受信確認をＳＴＢ１１に送信する。
当該緊急通知受信確認の送信は、例えば、図２に示す通常通信フレームを用いて行われる。
ステップＳ２０：
図４に示すＳＴＢ１１のマイクロコンピュータ３４は、ステップＳＴ１９で受信した緊急通知受信確認をＵＷＢ送受信部３１からテレビ受像機１２に転送する。
当該緊急通知受信確認の送信は、例えば、図２に示す通常通信フレームを用いて行われる。
【００３６】
以上説明したように、通信システム１によれば、家庭内の通信装置がＵＷＢにより１チャンネルの低消費電力無線通信を行う場合に、各通信装置が受信専用フレームを用いて他の通信装置に緊急通知を確実に所定時間内に送受信できる。
通信システム１では、このように受信専用フレームを用いることで、緊急通知の送受信が、通常フレームを用いた通信装置間での通信に影響を与えない。これにより、リアルタイム性が要求されるＡＶ伝送に特に有効である。
また、通信システム１のセンサ１６によれば、バッテリ５５からＵＷＢ送信部５１への電源供給は、センサ機能部５２が緊急事態を検出した場合にのみ行われるため、バッテリ５５を小型化できる。従って、緊急通知の送信機能を様々の機器に容易に組み込むことができる。
【００３７】
本発明は上述した実施形態には限定されない。
例えば、上述した実施形態では、図６に示すマイクロコンピュータ５４が、緊急通知を受信専用フレームが割り当てられる時間間隔である１００通信フレームに相当する期間継続してＵＷＢ送信部５１に送信させる場合を例示したが、マイクロコンピュータ５４は、例えば、通信フレームの期間（２ｍｓ）を保持している場合に、１００通信フレームの期間、２ｍｓ毎に連続して緊急通知を送信するようにしてもよい。この場合に、センサ１６が第３の発明に対応する。
【００３８】
また、上述した実施形態では、図８に示すステップＳＴ１４，ＳＴ１５，ＳＴ１６，ＳＴ１７，ＳＴ１９，ＳＴ２０を通常通信フレームを用いて行う場合を例示したが、受信専用フレームのタイミングを特定し、当該受信専用フレームを用いて行ってもよい。
【００３９】
【発明の効果】
以上説明したように、本発明によれば、時分割で各通信装置に無線通信期間が割り当てられる１チャネル、時分割方式を用いて無線による送受信を行う場合に、所定の条件を満たした場合に所定期間内に所定の情報を確実に送受信できる通信装置、そのシステムおよびその方法を提供することができる。
【図面の簡単な説明】
【図１】  図１は、本発明の実施形態に係わる通信システムの全体構成図である。
【図２】  図２は、図１に示す通信システムで用いられる通信フレームを説明するための図である。
【図３】  図３は、図１に示す本実施形態の通信システムの動作例を説明するための図である。
【図４】  図４は、図１に示すＳＴＢの機能ブロック図である。
【図５】  図５は、図１に示すテレビ受像機の機能ブロック図である。
【図６】  図６は、図１に示すセンサの機能ブロック図である。
【図７】  図７は、図１に示す通信システムにおいて、テレビ受像機が緊急事態を検出した場合を説明するためのフローチャートである。
【図８】  図８は、図１に示す通信システムにおいて、センサが緊急事態を検出した場合を説明するためのフローチャートである。
【符号の説明】
１１…ＳＴＢ、１２…テレビ受像機、１３…電話、１４…プリンタ、１５…ＰＣ、１６…センサ、１７…冷蔵庫、１８…掛け時計、３０…アンテナ、３１…ＵＷＢ送受信部、３２…ＳＴＢ機能部、３３…液晶ディスプレイ、３４…マイクロコンピュータ、４０…アンテナ、４１…ＵＷＢ送受信部、４２…テレビ機能部、４４…マイクロコンピュータ、５０…アンテナ、５１…ＵＷＢ送信部、５２…センサ機能部、５４…マイクロコンピュータ、５５…バッテリ、５６…電源用ＩＣ
【図１】
0004089265.tif 000002
【図２】
0004089265.tif 000003
【図３】
0004089265.tif 000004
【図４】
0004089265.tif 000005
【図５】
0004089265.tif 000006
【図６】
0004089265.tif 000007
【図７】
0004089265.tif 000008
【図８】
0004089265.tif 000009